(57)【要約】【課題】折り畳んで縫いぐるみに収納しておしゃれに持ち運びできる縫いぐるみ付き買い物袋を提供する。【解決手段】略四角形からなる袋体の開口部の周縁に略平行で２列となる配置で輪状の紐体を取り付け、周縁における一方の紐体と袋体の側縁との略中間位置には連結紐を取り付けて形成される買い物袋と、略中央に空洞部を形成し、背面側には空洞部を開閉自在なチャックからなる開閉部を形成しかつ連結紐を空洞部の内面において頭部の背面略中央に取り付けた縫いぐるみとから構成する。【選択図】図２
2011125642.tif 000002
【特許請求の範囲】
【請求項１】
袋体の開口部の周縁に略平行で２列となる配置に輪状の紐体を取り付け、前記周縁における一方の紐体と袋体の側縁との略中間位置には連結紐を取り付けて形成される買い物袋と、略中央に空洞部を形成し、背面側には当該空洞部に開閉自在なチャック又はボタン又はマジックテープ（登録商標）を取り付けた開閉部を形成しかつ前記連結紐を前記空洞部の内面に取り付けた縫いぐるみとからなり、前記開閉部を開いた状態で前記買い物袋を折り畳み前記空洞部に挿入して前記開閉部を閉じる場合には、前記買い物袋が前記縫いぐるみに収納されることを特徴とする縫いぐるみ付き買い物袋。
【請求項２】
請求項１に記載の縫いぐるみ付き買い物袋において、前記縫いぐるみの外形が動物又は人物のキャラクター形状である場合には、前記空洞部の内面の前記連結紐を取り付ける位置は、前記キャラクター形状の頭部の背面略中央であることを特徴とする縫いぐるみ付き買い物袋。
【請求項３】
上方にフードが取り付けられた衣服の背面に連結紐を取り付けて形成される雨具と、略中央に空洞部を形成し、背面側には当該空洞部を開閉自在なチャック又はボタン又はマジックテープ（登録商標）を取り付けて開閉部を形成しかつ前記連結紐を前記空洞部の内面に取り付けた縫いぐるみとからなり、前記開閉部を開いた状態で前記雨具を折り畳み前記空洞部に挿入して前記開閉部を閉じる場合には、前記雨具が前記縫いぐるみに収納されることを特徴とする縫いぐるみ付き雨具。
【請求項４】
請求項３に記載の縫いぐるみ付き雨具において、前記縫いぐるみの外形が動物又は人物のキャラクター形状である場合には、前記空洞部の内面の前記連結紐を取り付ける位置は、前記キャラクター形状の頭部の背面略中央であることを特徴とする縫いぐるみ付き雨具。
【請求項５】
請求項３から４に記載の縫いぐるみ付き雨具において、前記衣服の背面に前記連結紐を取り付ける位置は、前記フードと首周りの境界線近傍の略中間位置であることを特徴とする縫いぐるみ付き雨具。
【発明の詳細な説明】
【技術分野】
【０００１】
本発明は、繰り返し使用できる買い物袋をデザイン性のある縫いぐるみに折り畳んで収納できる縫いぐるみ付き買い物袋等に関する。
【背景技術】
【０００２】
地球環境の保護のため従来の使い捨て商品は見直しがされている。その中でも、スーパーマーケット等で買い物をする際に買い物客が持参し、繰り返し使用できる環境に優しいエコバッグ（買い物袋）を使用することが奨励されているが、かさばることもあって普段から持ち歩く程にはなかなか普及しない面がある。
【０００３】
一方、そのようなエコバックを携帯に便利なものとするために様々な試みがなされており、例えば、袋バッグに拡張用にピアノ線を縫い込み、使用時にかごの内面に簡単に広げられ、不使用時に折り畳んで携帯用外袋に収納できるようにしたもの等が知られている（特許文献１参照。）。
【０００４】
【特許文献１】実用新案登録第３０７２９３８号公報
【発明の開示】
【発明が解決しようとする課題】
【０００５】
しかし、従来のエコバッグを持ち歩くための工夫は機能性のみを重んじて、ファッションに敏感な若い女性が持ち歩けるデザイン的な工夫がされたエコバッグは存在しないので、おしゃれに持ち歩くためのエコバッグが求められていた。
【０００６】
一方、最近は異常気象により天候が突然に変更することがあり、外出先で突然に強い雨が降り出すことがあっても傘の持ち合わせがない場合が多い。特に、イベント会場等で傘を入手することができない時には雨合羽（雨具）を持ち合わせることが望ましいが、前記同様にかさばったりデザイン的な工夫がされていないこともあって普段から持ち歩くためのファッション性に富む雨具も存在しなかった。
【０００７】
本発明は、こうした要望に応えることのできる携帯性とファッション性を兼ね備え、折り畳んで縫いぐるみに収納して持ち運びすることができ、チャームとエコバッグとして使用する際には縫いぐるみがチャームとなる縫いぐるみ付き買い物袋を提供することを目的とする。また、本発明は、ファッションの一部として普段から持ち歩くことができ、突然の天候の変化があっても、雨具として使用することができる縫いぐるみ付き雨具を提供することを目的とする。
【課題を解決するための手段】
【０００８】
上記課題を解決するために請求項１に記載の発明は、袋体の開口部の周縁に略平行で２列となる配置に輪状の紐体を取り付け、前記周縁における一方の紐体と袋体の側縁との略中間位置には連結紐を取り付けて形成される買い物袋と、略中央に空洞部を形成し、背面側には当該空洞部に開閉自在なチャック又はボタン又はマジックテープ（登録商標）を取り付けた開閉部を形成しかつ前記連結紐を前記空洞部の内面に取り付けた縫いぐるみとからなり、前記開閉部を開いた状態で前記買い物袋を折り畳み前記空洞部に挿入して前記開閉部を閉じる場合には、前記買い物袋が前記縫いぐるみに収納される縫いぐるみ付き買い物袋であることを特徴とする。また、請求項２に記載の発明は、請求項１に記載の縫いぐるみ付き買い物袋において、前記縫いぐるみの外形が動物又は人物のキャラクター形状である場合には、前記空洞部の内面の前記連結紐を取り付ける位置は、前記キャラクター形状の頭部の背面略中央の縫いぐるみ付き買い物袋であることを特徴とする。
【０００９】
請求項３に記載の発明は、上方にフードが取り付けられた衣服の背面に連結紐を取り付けて形成される雨具と、略中央に空洞部を形成し、背面側には当該空洞部を開閉自在なチャック又はボタン又はマジックテープ（登録商標）を取り付けて開閉部を形成しかつ前記連結紐を前記空洞部の内面に取り付けた縫いぐるみとからなり、前記開閉部を開いた状態で前記雨具を折り畳み前記空洞部に挿入して前記開閉部を閉じる場合には、前記雨具が前記縫いぐるみに収納される縫いぐるみ付き雨具であることを特徴とする。請求項４に記載の発明は、請求項３に記載の縫いぐるみ付き雨具において、前記縫いぐるみの外形が動物又は人物のキャラクター形状である場合には、前記空洞部の内面の前記連結紐を取り付ける位置は、前記キャラクター形状の頭部の背面略中央の縫いぐるみ付き雨具であることを特徴とする。請求項５に記載の発明は、請求項３から４に記載の縫いぐるみ付き雨具において、前記衣服の背面に前記連結紐を取り付ける位置は、前記フードと首周りの境界線近傍の略中間位置の縫いぐるみ付き雨具であることを特徴とする。
【発明の効果】
【００１０】
本発明に係る縫いぐるみ付き買い物袋によれば、買い物袋を折り畳んで縫いぐるみに収納し、普段日頃はチャームとして持ち運びすることができので、ファッションに敏感な若い女性にも使用することができる。また、本発明に係る縫いぐるみ付き雨具によれば、雨具を折り畳んで縫いぐるみに収納し、普段日頃はチャームとして持ち運びすることができるので、ファッションの一部でありながら突然の雨に備えることができる。
【発明を実施するための最良の形態】
【００１１】
以下、図面に基づき本発明に係る縫いぐるみ付き買い物袋の好ましい実施形態を説明する。図１において、（ａ）は本発明に係る縫いぐるみ付き買い物袋において、買い物袋を収納した状態の縫いぐるみを示す正面図、（ｂ）はその背面図である。図２は、本発明に係る縫いぐるみ付き買い物袋において、縫いぐるみを外に出した状態の買い物袋を示す背面図である。図３は、本発明に係る縫いぐるみ付き買い物袋において、縫いぐるみを外に出した状態の買い物袋を示す側面図である。図４は、本発明に係る縫いぐるみ付き買い物袋において、縫いぐるみを携帯電話のチャームとして使用する場合の斜視図である。
【００１２】
本発明に係る縫いぐるみ付き買い物袋１０における縫いぐるみ１２は、布、樹脂等の素材を使用して形成され、動物のキャラクターの熊の外形であり、熊の胴体１４の略中央に買い物袋を折り畳んで収納できる大きさの空洞部１６を形成し、空洞部１６を熊の背面１２Ｂ側（背中）において頭部１８から胴部１４のほぼ下端まで縦割りに開口し、全体にチャック１９を取り付け、開閉部２０を形成したものである。
【００１３】
また、チャック１９を開くと、頭部１８の略中央には後記する買い物袋２２に取り付けられたテープ状の連結紐３０の一端が頭部１８の水平線とほぼ平行となる角度に取り付けられている
【００１４】
買い物袋２２は、丈夫な布、樹脂等の素材を使用したシート素材からなり、全体として略四角形の袋体２３であり、開口部２４の周縁には略平行で２列となる配置で輪状の紐体２６が取り付けられている。
【００１５】
また、開口部２４の周縁における一方の紐体２６と袋体２３の側縁２８（折り曲げ部）との略中間位置には、縫いぐるみ１２に取り付けられた連結紐３０の他端が取り付けられている。
【００１６】
このような縫いぐるみ付き買い物袋１０を使用するには、買い物袋２２を折り畳んでから開閉部２０を閉じて収納部１６に収納すれば、縫いぐるみ１２は熊の外形をしたチャームとして使用でき、例えば、備え付けの輪環３２により携帯電話３４のストラップ３５やカバン等に取り付けたり、キーホルダー代わりに使用し、ぶら下がりファッションとして日常的に持ち歩くことができる。
【００１７】
また、買い物の際には、縫いぐるみ１２の開閉部２０を開き、買い物袋２２を引っ張り出して拡げれば、一般的なエコバッグとして繰り返し使用することができる。
【００１８】
ここで、買い物袋２２においては、テープ状の連結紐３０が開口部２４の周縁における一方の紐体２６Ａと袋体２２の側縁２８との略中間位置に取り付けられていること、また、縫いぐるみ１２の熊においては、連結紐３０を取り付ける位置が頭部１８の背面略中央であることにより、輪状の紐体２６により買い物袋２２を保持すると、縫いぐるみ１２は買い物袋２２の側縁２８近傍に安定して吊り下げられ、買い物袋２２の使用中に前傾したり反り返ったりすることがないので、おしゃれなチャームを備えた買い物袋２２として使用することができる。
【００１９】
図５において、（ａ）は本発明に係る縫いぐるみ付き雨具において、縫いぐるみを外に出した状態の雨具を示す正面図、（ｂ）はその背面図、（ｃ）はその側面図である。図６は、本発明に係る縫いぐるみ付き雨具において、縫いぐるみをリュックサックのチャームとして使用する場合の斜視図である。
【００２０】
本発明に係る縫いぐるみ付き雨具４０における縫いぐるみ４２は、雨具４４を収納するために防水可能な布、樹脂等の素材を使用して形成される。前記の縫いぐるみ付き買い物袋の実施形態における縫いぐるみと同様に、動物のキャラクターの熊の外形であり、熊の胴体の略中央に雨具を折り畳んで収納できる大きさの空洞部を形成し、空洞部を熊の背面側（背中）において頭部から胴部のほぼ下端まで縦割りに開口し、全体にチャックを取り付け、開閉部を形成したものである（図示せず）。
【００２１】
また、チャックを開くと、頭部の略中央には後記する雨具に取り付けられたテープ状連結紐４５の一端が頭部の水平線とほぼ平行である角度に取り付けられている。
【００２２】
雨具４４は、防水可能な布、樹脂等の素材からなり、上方にフード４６が取り付けられた衣服の一般的な雨合羽からなる。
【００２３】
また、雨具４４の背面において、フード４６と首周りの境界線４７近傍の略中間位置に連結紐４５が取り付けられ、縫いぐるみ４２に取り付けられた連結紐４５の他端が取り付けられている。
【００２４】
このような縫いぐるみ付き雨具４０を使用するには、雨具４４を折り畳んでから開閉部を閉じ収納部に収納すれば、縫いぐるみ４２は熊の外形をしたチャームとして使用でき、例えば、備えて付けの輪環４９によりリュックサック５０の手持ち部分５１やカバン等に取り付けたり、キーホルダー代わりに使用し、ぶら下がりファッションの一つとして日常的に持ち歩くことができる。
【００２５】
一方、外出先で突然に強い雨が降り出したような際には、縫いぐるみ４２の開閉部を開き、雨具４４を引っ張り出して拡げれば、一般的な雨合羽として使用することができる。
【００２６】
ここで、雨具４４においては、テープ状の連結紐４５がフード４６と首周りの境界線４７近傍の略中間位置に取り付けられていること、また、縫いぐるみ４２の熊においては、連結紐４５を取り付ける位置が頭部の背面略中央であることにより、略上着形状の雨具４４を使用すると、縫いぐるみ４２は雨具４４の背面略中央に安定して吊り下げられ、使用中に前傾したり反り返ったりすることがないので、おしゃれなチャームを備えた雨具４４として使用することができる。
【００２７】
以上、本発明による縫いぐるみ付き買い物袋及び縫いぐるみ付き雨具の好ましい実施形態を図面により説明したが、本発明は特にこれに限定されるものではない。例えば、縫いぐるみの形状は、決して熊に限られるものではなく、うさぎや猫等の動物、人物やロボット等を模したもの、星型やハート型等、他の形状であっても何ら差し支えない。また、買い物袋は略四角形状のみならず、略円形状、略円錐形状等、他の形状であっても差し支えないし、雨具の形状についても衣服のみならず、上着のみ、ポンチョ等、他の形状であっても差し支えない。
【００２８】
同様に、本発明による縫いぐるみ付き買い物袋及び縫いぐるみ付き雨具に使用される素材も、要はシート状であれば特に限定はなく、布や樹脂のみならず、紙、皮革等を使用することもできる。
【図面の簡単な説明】
【００２９】
【図１】（ａ）は買い物袋を収納した状態の縫いぐるみを示す正面図、（ｂ）はその背面図である。
【図２】縫いぐるみを外に出した状態の買い物袋を示す正面図である。
【図３】縫いぐるみを外に出した状態の買い物袋を示す側面図である。
【図４】縫いぐるみを携帯電話のチャームとして使用する場合の斜視図である。
【図５】（ａ）は縫いぐるみを外に出した状態の雨具を示す正面図、（ｂ）はその背面図、（ｃ）はその側面図である。
【図６】縫いぐるみをリュックサックのチャームとして使用する場合の斜視図である。
【符号の説明】
【００３０】
１０  縫いぐるみ付き買い物袋
１２  縫いぐるみ
１２Ｂ  熊の背面
１４  熊の胴体
１６  空洞部
１６  収納部
１８  頭部
１９  チャック
２０  開閉部
２２  買い物袋
２２  袋体
２３  袋体
２４  開口部
２６  紐体
２６Ａ  紐体
２８  側縁
３０  連結紐
３２  輪環
３４  携帯電話
３５  ストラップ
４０  縫いぐるみ付き雨具
４２  縫いぐるみ
４４  雨具
４５  連結紐
４６  フード
４７  境界線
４９  輪環
５０  リュックサック
５１  手持ち部分
【図１】
2011125642.tif 000003
【図２】
2011125642.tif 000004
【図３】
2011125642.tif 000005
【図４】
2011125642.tif 000006
【図５】
2011125642.tif 000007
【図６】
2011125642.tif 000008